(57)【要約】【課題】ＰＣやスマートフォンの利用に不慣れなユーザが利用することができ、暗証番号等の重要な情報を登録する際における漏洩等を有効に防止することができる口座振替受付システムおよび口座振替受付方法を提供すること。【解決手段】本発明の口座振替受付方法は、口座振替の申込のための口座振替受付方法であって、口座情報を含む顧客情報を取得する工程と、口座情報に関連付けられた暗証情報を取得する工程と、顧客情報および暗証情報とが顧客ごとに関連付けて登録されたデータベースを参照して、取得した顧客情報および暗証情報とを照合する工程と、照合がとれた場合に、顧客の口座振替の登録を行なう工程とを有し、暗証情報は、自動音声応答により取得されることを特徴とする。【選択図】図１
2019159849.tif 000002
【特許請求の範囲】
【請求項１】
口座振替の申込のための口座振替受付方法であって、
口座情報を含む顧客情報を取得する工程と、
前記口座情報に関連付けられた暗証情報を取得する工程と、
顧客情報および暗証情報とが顧客ごとに関連付けて登録されたデータベースを参照して、前記取得した前記顧客情報および前記暗証情報とを照合する工程と、
前記照合がとれた場合に、前記顧客の口座振替の登録を行なう工程とを有し、
前記暗証情報は、自動音声応答により取得されることを特徴とする口座振替受付方法。
【請求項２】
前記顧客情報は、自動音声応答により取得されることを特徴とする請求項１に記載の口座振替受付方法。
【請求項３】
前記暗証情報は、暗号化された状態で取得され、該暗号化された状態で揮発性メモリに一時的に記憶された後、消去されることを特徴とする請求項１または請求項２に記載の口座振替受付方法。
【請求項４】
口座振替の申込のための口座振替受付システムであって、
口座情報を含む顧客情報を要求する顧客情報要求部と、
前記口座情報に関連付けられた暗証情報を要求する暗証情報要求部と、
顧客情報および暗証情報とが顧客ごとに関連付けて登録されたデータベースと、
前記データベースを参照して、前記取得した前記顧客情報および前記暗証情報とを照合する照合部と、
前記照合がとれた場合に、前記顧客の口座振替の登録を実行する登録実行部とを備え、
前記暗証情報の要求は、自動音声応答により行われることを特徴とする口座振替受付システム。
【発明の詳細な説明】
【技術分野】
【０００１】
本発明は、口座振替受付システムおよび口座振替受付方法に関し、特に、口頭にて口座振替の登録が可能な口座振替受付システムおよび口座振替受付方法に関する。
【背景技術】
【０００２】
従来公共サービス料金その他の料金を現金で支払うことなく、一時的もしくは継続的に金融機関から振替にて支払うことが行われている。しかしながら、その口座振替手続きを金融機関に依頼するためには、極めて煩雑な手続きを要している。
【０００３】
そのための手続きとしては、例えば料金の支払を求める公共サービス機関等または金融機関が、口座振替依頼書を用意して、その依頼書に該顧客が料金引き落としをする金融機関の名称、口座番号、口座種別などの記入と捺印を求めていた。
【０００４】
また公共サービス機関等では、該依頼書の内容を、手作業で該口座振替依頼書を金融機関別、支店別に仕訳し、それぞれの金融機関の取り纏め店に送付する。取り纏め店では、依頼書を各支店に送付し、各支店はその依頼書により照合作業を行ったのち、金融機関のシステムに該支店の端末から入力して口座振替登録を実行する。
【０００５】
しかしながら、このような口座振替の登録手続きは、口座振替依頼書の記載内容が細かく複雑であるうえ、その記入作業やシステムへの登録など殆どの作業が手作業によるなど極めて煩雑であり、名義人、口座番号、印鑑等の記入ミスや入力ミスが多く、何度も登録手続きのやり直しをすることが多い。また依頼書の発行から、金融機関への登録完了までに長時間を要するので、登録手続きが請求に間に合わず、口座振替が行われない事故が起きるなどの問題がある。またそのような請求手続きに登録を間に合わせる必要から、金融機関は大量の登録手続を短時間で誤りなく処理する必要があり、そのための負担が極めて大きいという問題があった。
【０００６】
そこで、インターネットを介して口座振替申込を受け付けるシステムも検討されている（例えば、特許文献１参照）。この文献記載の技術では、収納機関サーバが、口座振替申込データを顧客端末装置を経由して金融機関サーバへ送信する。
【０００７】
また、口座振替の申込を支援するための口座振替申込受付システムも検討されている（例えば、特許文献２参照）。この文献記載の技術では、銀行サーバの制御部は、口座振替結果、口座名義人の住所情報を取得する。さらに、処理対象の郵便番号に対して同じ委託者コードが付与された口座振替の件数割合を算出する。この件数割合を用いて、郵便番号に対する委託者コードを特定する。そして、口座振替申込受付処理時には、郵便番号、サービス種別に応じて委託者名候補を特定する。
【先行技術文献】
【特許文献】
【０００８】
【特許文献１】特開２００４−２５２７３６号公報
【特許文献２】特開２００８−２５０８２４号公報
【発明の概要】
【発明が解決しようとする課題】
【０００９】
しかしながら、上記のようなインターネットを介して口座振替申込を受け付けるシステムは、ＰＣ（personal computer）やスマートフォンを操作する必要があるためＰＣやスマートフォンの利用に不慣れなユーザ（特に、高齢のユーザ）が利用するにはハードルが高いという問題がある。また、上記のようなインターネットを介して口座振替申込を受け付けるシステムでは、セキュリティ性（安全性）を担保するために、通常、単一因子認証（すなわちユーザＩＤおよびパスワード）を利用し、さらに暗号化を行っているが、インターネットバンキングを利用しない場合には、どのようにしてセキュリティ性（安全性）を担保するのかという問題がある。
【００１０】
本発明は、上記課題を鑑みてなされたものであり、ＰＣやスマートフォンの利用に不慣れなユーザが利用することができ、暗証番号等の重要な情報を登録する際における漏洩等を有効に防止することができる口座振替受付システムおよび口座振替受付方法を提供することを目的とする。
【課題を解決するための手段】
【００１１】
上記の課題を解決すべく、本発明の口座振替受付方法は、口座振替の申込のための口座振替受付方法であって、口座情報を含む顧客情報を取得する工程と、口座情報に関連付けられた暗証情報を取得する工程と、顧客情報および暗証情報とが顧客ごとに関連付けて登録されたデータベースを参照して、取得した顧客情報および暗証情報とを照合する工程と、照合がとれた場合に、顧客の口座振替の登録を行なう工程とを有し、暗証情報は、自動音声応答により取得されることを特徴とする。
【００１２】
上記構成によれば、顧客の口座振替の登録を行なう際に、暗証情報が自動音声応答により取得されるので、ＰＣやスマートフォンの利用に不慣れなユーザでも利用することができ、暗証番号等の重要な情報を登録する際における漏洩等を有効に防止することができる。
【００１３】
また、本発明の口座振替受付方法の顧客情報は、自動音声応答により取得されることを特徴とする。
【００１４】
上記構成によれば、暗証情報のみならず、顧客情報についても自動音声応答により取得されるので、ユーザは、オペレータを介することなく、口座振替の登録を実行することができる。このため、顧客情報をオペレータに伝えるのに不安を有するユーザも利用することができ利便性が向上する。
【００１５】
また、本発明の口座振替受付方法の暗証情報は、暗号化された状態で取得され、該暗号化された状態で揮発性メモリに一時的に記憶された後、消去されることを特徴とする。
【００１６】
上記構成によれば、暗証情報は暗号化された状態で取得されて、揮発性メモリに居一時的に記憶された後、消去されるため、暗証情報の漏洩等をより有効に防止することができる。
【００１７】
また、本発明の口座振替受付システムは、口座振替の申込のための口座振替受付システムであって、口座情報を含む顧客情報を要求する顧客情報要求部と、口座情報に関連付けられた暗証情報を要求する暗証情報要求部と、顧客情報および暗証情報とが顧客ごとに関連付けて登録されたデータベースと、データベースを参照して、取得した顧客情報および暗証情報とを照合する照合部と、照合がとれた場合に、顧客の口座振替の登録を実行する登録実行部とを備え、暗証情報の要求は、自動音声応答により行われることを特徴とする。
【００１８】
上記構成によれば、顧客の口座振替の登録を行なう際に、暗証情報が自動音声応答により行われるので、ＰＣやスマートフォンの利用に不慣れなユーザでも利用することができ、暗証番号等の重要な情報を登録する際における漏洩等を有効に防止することができる。
【発明の効果】
【００１９】
以上説明したように、本発明によれば、ＰＣやスマートフォンの利用に不慣れなユーザが利用することができ、暗証番号等の重要な情報を登録する際における漏洩等を有効に防止することができる口座振替受付システムおよび口座振替受付方法を提供することができる。
【図面の簡単な説明】
【００２０】
【図１】第１実施形態に係る口座振替受付システムの構成の一例を示す図である
【図２】第１実施形態に係るオペレータ端末の機能構成の一例を示す図である。
【図３】第１実施形態に係る自動音声応答装置の機能構成の一例を示す図である。
【図４】第１実施形態に係る金融機関サーバの機能構成の一例を示す図である。
【図５】第１実施形態に係る口座振替受付システムの動作を示すフローチャート図である。
【図６】第２実施形態に係る口座振替受付システムの構成の一例を示す図である
【図７】第２実施形態に係る自動音声応答装置の機能構成の一例を示す図である。
【図８】第２実施形態に係る口座振替受付システムの動作を示すフローチャート図である。
【発明を実施するための形態】
【００２１】
以下、図面を参照して本発明の実施形態を説明する。
（第１実施形態）
第１実施形態に係る口座振替受付システム１について図を参照しながら説明する。図１は、本実施形態に係る口座振替受付システム１の動作環境を示す図である。
【００２２】
図１に示すように、口座振替受付システム１は、通信ネットワーク６を介して互いに接続された電話端末２、オペレータ端末３、自動音声応答装置４、金融機関サーバ５を備える。なお、図１では、２台の電話端末２、１台のオペレータ端末３、１台の自動音声応答装置４および３台の金融機関サーバ５が通信ネットワーク６を介して互いに接続されているが、通信ネットワーク６を介して互いに接続される電話端末２、オペレータ端末３、自動音声応答装置４および金融機関サーバ５の台数は各々任意であり、図１に示す数に限られない。
【００２３】
電話端末２は、例えば、固定電話端末や携帯電話端末であり、金融機関サーバ５に口座を有するユーザが口座振替登録を実行する際や、暗証情報を入力する際に利用される。
【００２４】
オペレータ端末３は、例えば、ＰＣ（personal computer）であり、ユーザからの通話を受けたオペレータにより操作される端末である。オペレータ端末３は、例えば、図２に示すように、通信ネットワーク６を介して通信を行う通信部３１と、入力画面等を生成するＷｅｂブラウザ３２と、Ｗｅｂブラウザ３２が生成した画像等を表示する表示部３３と、オペレータによる指示や顧客情報等を入力するための入力部３４と、暗号化された暗証情報を復号化する復号化部３５と、オペレータ端末３全体の動作を制御する制御部３６とを備えている。
【００２５】
通信ネットワーク６は、電話端末２、オペレータ端末３、自動音声応答装置４および金融機関サーバ５との間で、データ通信又は音声通信を可能とする公衆ネットワークであって、例えば、ＰＳＴＮ（Ｐｒｉｖａｔｅ  Ｓｗｉｔｃｈｉｎｇ  Ｔｅｌｅｐｈｏｎｅ  Ｎｅｔｗｏｒｋ）や移動電話ネットワークやインターネット等がこれに該当する。
【００２６】
自動音声応答装置４（ＩＶＲ）は、図３に示すように、通信ネットワーク６を介して通信を行う通信部４１と、電話端末２に対して暗証情報の送信を要求する暗証情報要求部４２と、電話端末２から送信される暗証情報を暗号化する暗号化部４３と、暗号化された暗証情報を一時的に記憶するための揮発性メモリ４４（例えば、ＲＡＭやＤＲＡＭ）と、音声応答を行うための音声データが格納された音声データベース４５（以下、音声ＤＢ４５）と、自動音声応答装置４全体の動作を制御する制御部４６とを備えている。
【００２７】
金融機関サーバ５は、図４に示すように、通信ネットワーク６を介して通信を行う通信部５１と、後述する顧客データベース５３を参照し、顧客情報および暗証情報に基づいてユーザの認証を行う認証部５２と、対応する金融機関に口座を持つ顧客の顧客情報および暗証情報とが関連付けられて格納された顧客データベース５３（以下、顧客ＤＢ５３）と、認証がとれた場合に振替口座登録を実行する登録実行部５４と、金融機関サーバ５全体の動作を制御する制御部５５とを備えている。
【００２８】
ここで、顧客情報は、クレジットカード名および番号、金融機関名、金融機関コード、支店名、店番、口座種別および口座番号、口座名義等の情報が少なくとも含まれる。
また、暗証情報には、ネットバンキング用の暗証番号、キャッシュカードの暗証番号、生年月日、ワンタイムパスワードなどが少なくとも含まれる。なお、顧客の認証に必要な暗証情報は、金融機関により異なる場合があるため、上記の顧客情報および暗証情報に含まれる情報は、あくまで一例であり、認証に必要となる顧客情報および暗証情報は、口座振替登録を行う金融機関により異なる。
【００２９】
顧客ＤＢ５３には、例えば、「ユーザＩＤ＝０００１」と「暗証番号＝△△△」と「口座情報＝○○銀行××支店××××：０００４  ０２７  １２３４５６７」などが顧客ごとに関連付けて格納されている。
【００３０】
（第１実施形態に係る口座振替受付システム１の動作）
上記構成を有する口座振替受付システム１の動作について、図５を参照にして説明する。図５は、本実施形態に係る口座振替受付システムの動作を示すフローチャート図である。本実施形態では、顧客情報をオペレータが入力し、暗証情報をユーザ（顧客）がＩＶＲによって入力する例について説明する。
【００３１】
ステップＳ１０１において、ユーザが、電話端末２を用いて専用番号に電話をかける。
【００３２】
ステップＳ１０２において、オペレータＯがユーザＵに口座振替を登録するために必要な顧客情報（例えば、顧客番号、生年月日、金融機関名、支店名、口座番号）を聞き出す。オペレータＯは、ユーザＵから聞いた顧客情報を、入力部３４を操作してオペレータ端末３に入力する。入力部３４から入力された顧客情報は、Ｗｅｂブラウザ３２にセットされる。
【００３３】
ここで、ステップＳ１０２におけるオペレータＯとユーザＵとのやり取りとして以下のようなものが考えられる。
オペレータＯ：口座振替登録の手続きを行いますので顧客番号をお聞かせください。
ユーザＵ：１２３４５６です。
オペレータＯ：ご本人確認ため、生年月日をお聞かせください。 
ユーザＵ：平成２年１月１日です。
オペレータＯ：金融機関名・支店名・口座種別・口座番号をお聞かせください。
ユーザＵ：〇〇銀行・△△支店・普通・１２３４５６７です。
オペレータＯ：音声案内に切り替わります。案内の指示に従って暗証番号を電話機のＰＵＳＨボタンで入力してください。 
【００３４】
ステップＳ１０３において、オペレータＯは、暗証情報入力のため、ユーザＵが通話している電話端末２の接続先を自動音声応答装置４（ＩＶＲ）に切り替える。
【００３５】
ステップＳ１０４において、自動音声応答装置４の暗証情報要求部４２は、ユーザＵに対し、音声ＤＢ４５から音声データを読み出して暗証情報の入力を要求する音声データを通信部４１を介して送信する。音声データは、電話端末２で受信され、音声として再生される。ここで、自動音声応答装置４により再生される音声としては、例えば、「暗証番号を入力してください」などが考えられる。
【００３６】
ステップＳ１０５において、ユーザＵは、電話端末２を利用して暗証情報を入力する。具体的には、電話端末２のダイアル又はプッシュボタンによって暗証情報を入力する。入力された暗証情報は、トーン信号（プッシュ信号とも呼ばれる）として自動音声応答装置４へ送信される。ここでは、トーン信号は、盗聴されても判別できないようにマスクされた状態（暗号化された状態）で送信がされる。
【００３７】
ステップＳ１０６において、自動音声応答装置４の暗号化部４３は、自動音声応答装置４の通信部４１で受信された暗証情報を暗号化する。
【００３８】
ステップＳ１０７において、制御部４６は、暗号化された暗証情報を揮発性メモリ４４へ一時記憶させる。
【００３９】
ステップＳ１０８において、制御部４６は、暗号化された暗証情報を通信部４１を介してオペレータ端末３へ送信する。送信後、制御部４６は、暗号化された暗証情報を揮発性メモリ４４から消去（クリア）する。
【００４０】
ステップＳ１０９において、オペレータ端末３の通信部３１で受信された暗号化された暗証情報は、オペレータ端末３の復号化部３５により復号化された後、Ｗｅｂブラウザ３２にセットされる。
【００４１】
ステップＳ１１０において、オペレータ端末３は、ステップＳ１０２で入力された顧客情報とステップＳ１０９でセットされた暗証情報を通信部３１を介して金融機関サーバ５へ送信する。
【００４２】
ステップＳ１１１において、金融機関サーバ５の認証部５２は、顧客ＤＢ５３に格納されている顧客情報および認証情報を参照し、格納されている顧客情報および認証情報に基づいてオペレータ端末３から送信された顧客情報および暗証情報の認証を行う。
【００４３】
ステップＳ１１２において、金融機関サーバ５の登録実行部５４は、認証が確認できた場合、受信した顧客情報に基づいて口座振替登録を実行する。金融機関サーバ５は、口座振替登録を実行すると口座振替登録が完了した旨をオペレータ端末３に送信する。オペレータＯは、口座振替登録が完了すると、自動音声応答装置４を停止して、ユーザＵに「お手続きが完了しました。ご利用ありがとうございました。」などと言って処理を終了する。
【００４４】
（本実施形態に係る口座振替受付システムの作用・効果）
以上のように、第１実施形態に係る口座振替受付システムは、口座振替の申込のための口座振替受付システムである。そして、口座情報を含む顧客情報を取得する工程と、口座情報に関連付けられた暗証情報を取得する工程と、顧客情報および暗証情報とが顧客ごとに関連付けて登録されたデータベースを参照することにより取得した顧客情報および暗証情報とを照合する工程と、照合がとれた場合に、顧客の口座振替の登録を行なう工程とを有し、暗証情報は、自動音声応答により取得される。このため、ＰＣやスマートフォンの利用に不慣れなユーザでも利用することができ、暗証番号等の重要な情報を登録する際における漏洩等を有効に防止することができる。
【００４５】
また、第１実施形態に係る口座振替受付システムの暗証情報は、暗号化された状態で取得され、この暗号化された状態で揮発性メモリに一時的に記憶された後、消去される。このため、暗証情報の漏洩等をより有効に防止することができる。
【００４６】
（第２実施形態）
上記第１実施形態に係る口座振替受付システムでは、暗証情報のみを自動音声応答により取得していたが、この第２実施形態では、顧客情報も自動音声応答により取得される形態について説明する。以下、第２実施形態に係る口座振替受付システムについて説明するが、第１実施形態に係る口座振替受付システムと同じ構成には同じ符号を付して重複する説明を省略する。
【００４７】
図６は、第２実施形態に係る口座振替受付システム７の動作環境を示す図である。図６に示すように、第２実施形態に係る口座振替受付システム７は、通信ネットワーク６を介して互いに接続された電話端末２、自動音声応答装置４、金融機関サーバ５を備える。換言すると、オペレータ端末３を有しない構成となっている。
【００４８】
図７は、第２実施形態に係る自動音声応答装置４（ＩＶＲ）の機能構成図であり、通信部４１と、暗証情報要求部４２と、暗号化部４３と、揮発性メモリ４４と、音声ＤＢ４５と、制御部４６と、電話端末２に対して顧客情報の送信を要求する顧客情報要求部４７とを備えている。なお、顧客情報要求部４７以外の構成については、第１実施形態に係る自動音声応答装置４と同じであるため重複する説明を省略する。
【００４９】
なお、電話端末２および金融機関サーバ５の各構成については、第１実施形態で説明した構成と同じであるため重複する説明を省略する。また、第１実施形態に係る口座振替受付システム１と同様に、通信ネットワーク６を介して互いに接続される電話端末２、自動音声応答装置４および金融機関サーバ５の台数は各々任意であり図６に示す数に限られない。
【００５０】
（第２実施形態に係る口座振替受付システム７の動作）
上記構成を有する口座振替受付システム７の動作について、図８を参照にして説明する。図８は、本実施形態に係る口座振替受付システムの動作を示すフローチャート図である。本実施形態では、顧客情報および暗証情報をユーザ（顧客）がＩＶＲによって入力する例について説明する。
【００５１】
ステップＳ２０１において、ユーザが、電話端末２を用いて専用番号に電話をかける。
【００５２】
ステップＳ２０２において、自動音声応答装置４の顧客情報要求部４７は、ユーザＵに口座振替を登録するために必要な顧客情報（例えば、顧客番号（お客様番号）、生年月日、金融機関コード、支店名、口座番号）の入力を要求する音声データを音声ＤＢ４５から読み出して通信部４１を介して送信する。音声データは、電話端末２で受信され、音声として再生される。ユーザＵは、自動音声応答装置４により音声指示に従い、電話端末２のダイアル又はプッシュボタンによって顧客情報を入力する。入力された暗証情報は、トーン信号（プッシュ信号とも呼ばれる）として自動音声応答装置４へ送信される。ここでも、トーン信号は、盗聴されても判別できないようにマスクされた状態（暗号化された状態）で送信がされてもよい。
【００５３】
ここで、自動音声応答装置４により再生される音声としては、例えば、「顧客番号を入力してください。」、「○○様ですね。確認のため生年月日を入力してください」、「金融機関コード４桁と支店コード３桁を入力してください。」、「普通口座の方は１を、当座口座の方は２を押してください。」、「口座番号７桁を入力してください。」などが考えられる。
【００５４】
ステップＳ２０３において、自動音声応答装置４の暗証情報要求部４２は、音声ＤＢ４５から音声データを読み出し、ユーザＵに対して暗証情報の入力を要求する音声データを通信部４１を介して送信する。音声データは、電話端末２で受信され、音声として再生される。ここで、自動音声応答装置４により再生される音声としては、例えば、「暗証番号を入力してください」などが考えられる。
【００５５】
ステップＳ２０４において、ユーザＵは、電話端末２を利用して暗証情報を入力する。具体的には、電話端末２のダイアル又はプッシュボタンによって暗証情報を入力する。入力された暗証情報は、通信部２１を介して自動音声応答装置４へ送信される。
【００５６】
ステップＳ２０５において、自動音声応答装置４の暗号化部４３は、自動音声応答装置４の通信部４１で受信された暗証情報を暗号化する。
【００５７】
ステップＳ２０６において、制御部４６は、暗号化された暗証情報を揮発性メモリ４４へ一時記憶させる。
【００５８】
ステップＳ２０７において、自動音声応答装置４は、ステップＳ２０２で入力された顧客情報とステップＳ２０６でメモリに一時記憶された暗証情報を通信部４１を介して金融機関サーバ５へ送信する。
【００５９】
ステップＳ２０８において、自動音声応答装置４の制御部４６は、暗号化された暗証情報を揮発性メモリ４４から消去（クリア）する。
【００６０】
ステップＳ２０９において、金融機関サーバ５の認証部５２は、顧客ＤＢ５３に格納されている顧客情報および認証情報を参照し、格納されている顧客情報および認証情報に基づいて自動音声応答装置４から送信された顧客情報および暗証情報の認証を行う。
【００６１】
ステップＳ２１０において、金融機関サーバ５の登録実行部５４は、認証が確認できた場合、受信した顧客情報に基づいて口座振替登録を実行する。金融機関サーバ５は、口座振替登録を実行すると口座振替登録が完了した旨を自動音声応答装置４に送信し、自動音声応答装置４は、手続きが完了した旨の音声データを音声ＤＢ４５から読み出して通信部４１を介して送信する。音声データは、電話端末２で受信され、音声として再生される。自動音声応答装置４により再生される音声としては、例えば、「お手続きが完了しました。ご利用ありがとうございました。」などが考えられる。
【００６２】
（本実施形態に係る口座振替受付システムの作用・効果）
以上のように、第２実施形態に係る口座振替受付システムは、顧客情報についても自動音声応答により取得される。このため、ユーザは、オペレータを介することなく、口座振替の登録を行うことができる。この結果、顧客情報をオペレータに伝えるのに不安を有するユーザも利用することができ利便性が向上する。
【００６３】
（その他の実施形態）
本発明は、前記各形態の構造、形状のものに限定されるものではなく、その要旨を逸脱しない限りにおいて適宜に設計変更して具体化できる。例えば、第１、第２実施形態の口座振替受付システムが備える構成を組み合わせてもよい。また、上記実施形態では、口座振替の登録について説明したが、クレジットカードの決済に適用が可能である。この場合、請求書番号や契約番号のみで本人認証が可能であれば、顧客へ送付する請求書などに顧客番号・ＩＶＲ番号を表示して、電話によるカード手続きを案内する。顧客は、自動音声応答装置４（ＩＶＲ）の案内に従い顧客番号・クレジットカード番号・暗証番号などを入力してクレジットカードの決済を行う。つまり、上記第２実施形態と同様に顧客情報および暗証情報は自動音声応答装置４（ＩＶＲ）に取得され、金融機関サーバ５へと受け渡される。
【００６４】
また、有人による本人認証が必要であれば、上記第１実施形態と同様に、オペレータにより顧客情報が入力され、暗証情報については自動音声応答装置４（ＩＶＲ）により取得され、金融機関サーバ５へと受け渡される。
なお、上述のように、クレジットカードの決済に適用した場合においても、少なくとも暗証情報は、暗号化された状態で送受信され、自動音声応答装置４（ＩＶＲ）の揮発性メモリ４４に一時記憶された後、消去される。
また、上記実施形態では、顧客情報や暗証情報がＷＥＢブラウザにセットされる形態となっているが、顧客情報や暗証情報がセットされる対象はＷＥＢブラウザに限られない。例えば、アプリケーションソフトウェアを利用して顧客情報や暗証情報がセットされる形態としてもよい。
【産業上の利用可能性】
【００６５】
以上説明したように、本発明は、ＰＣやスマートフォンの利用に不慣れなユーザが利用することができ、暗証番号等の重要な情報を登録する際における漏洩等を有効に防止することができる口座振替受付システムおよび口座振替受付方法を提供することができる。
【符号の説明】
【００６６】
１…口座振替受付システム（第１実施形態）
２…電話端末
３…オペレータ端末
４…自動音声応答装置（ＩＶＲ）
５…金融機関サーバ
６…通信ネットワーク
７…口座振替受付システム（第２実施形態）
３１…通信部
３２…Ｗｅｂブラウザ
３３…表示部
３４…入力部
３５…復号化部
３６…制御部
４１…通信部
４２…暗証情報要求部
４３…暗号化部
４４…揮発性メモリ
４５…音声データベース（音声ＤＢ）
４６…制御部
４７…顧客情報要求部
５１…通信部
５２…認証部
５３…顧客データベース（顧客ＤＢ）
５４…登録実行部
５５…制御部
【図１】
2019159849.tif 000003
【図２】
2019159849.tif 000004
【図３】
2019159849.tif 000005
【図４】
2019159849.tif 000006
【図５】
2019159849.tif 000007
【図６】
2019159849.tif 000008
【図７】
2019159849.tif 000009
【図８】
2019159849.tif 000010